(57)【特許請求の範囲】
【請求項１】
粉体又は粒状物又はこれらの組み合わせからなる搬送物を搬送する搬送供給設備と、
この搬送供給設備の鉛直下方側に配されるとともに前記搬送供給設備から供給される前記搬送物を受け止めて搬送するコンベアと、
前記搬送供給設備と前記コンベアとをつなぐように配される案内シュートと、
この案内シュートと前記コンベアの載置面の空隙を塞ぐように配され、かつ細長平板状をなすシュートゴム板と、
このシュートゴム板を前記案内シュートに着脱可能に固定する固定構造と、を有し、
前記コンベアの両側縁は、前記コンベアの中央側に向かって屈曲又は湾曲し、
前記案内シュートの下端部において前記コンベアの両側縁側に配される面は、その垂直方向断面がハ字状をなす屈曲部を備え、
前記シュートゴム板は、前記屈曲部の上面に載置されており、
前記固定構造は、前記屈曲部の前記上面上に突設される複数の突起部と、
前記シュートゴム板の長手方向と平行に配される長尺状の押圧部と、
この押圧部上において、前記押圧部を前記シュートゴム板上に配した際に前記突起部が配される位置と符合する位置に配されている複数の掛止部と、
前記突起部に前記掛止部を掛止した際に、前記掛止部の外れを防止するとともに、前記シュートゴム板に対する前記押圧部の押圧力を調整するくさびと、を備え、
複数の前記掛止部は前記押圧部に一体に固設されていてこれらは互いに分離できない一体の物体をなしていることを特徴とする搬送物供給構造。
【請求項２】
前記シュートゴム板の下端は、前記コンベアの前記載置面と接触していることを特徴とする請求項１に記載の搬送物供給構造。
【請求項３】
前記屈曲部は、前記案内シュートの前記下端部に着脱可能に固設されていることを特徴とする請求項１又は請求項２に記載の搬送物供給構造。
【発明の詳細な説明】
【技術分野】
【０００１】
本発明は、例えば複数のコンベアを介して搬送物を移送する際にコンベア同士の乗継箇所に設けられ、鉛直上方側に配される搬送供給設備（例えば、コンベア）から鉛直下方側に配されるコンベアに搬送物を案内して供給する搬送物供給構造に関する。
【背景技術】
【０００２】
一般に、火力発電所等においては大量の石炭がコンベアにより移送されている。
この場合、コンベアによる移送時に、石炭と接触する部位では特に摩耗が起こり易く、搬送設備の保守点検やメンテナンスに手間とコストがかかるという課題があった。
このような課題に対処するための先行技術文献としては以下に示すようなものが開示されている。
【０００３】
特許文献１には「ベルトコンベア乗継部の搬送物落下防止支持装置」という名称で、鉄鉱石や石炭等の粉状物あるいは塊状ばら物等の搬送物を搬送するベルトコンベアの乗継部で、搬送物がベルトの外部に落下しないようにベルトコンベアのベルトを支持する支持装置の構造に関する発明が開示されている。
特許文献１に開示される発明は、（ａ）上流側コンベアからの搬送物が下流側コンベアに乗継ぐ乗継部で、搬送物を上流側コンベアから下流側コンベアに案内する案内シュートが設けられ、この案内シュート下端のスカート部と下流側コンベアのベルトとの間に隙間が生じ搬送物が落下するのを防止するために、下流側コンベアのベルト直下に設置される支持装置において、（ｂ）ベルトの幅方向中央に配置されたキャリアローラと、ベルトの両端が所定の角度で上方に屈曲する屈曲部の近傍を支持する耐摩耗性材を有する第一の摺動支持板と、屈曲部のベルト幅方向外側を支持する平滑性材を有する第二の摺動支持板とを備えたことを特徴とするものである。
上記構成の特許文献１に開示される発明によれば、ベルト幅方向中央をキャリアローラによって支持することで、落下する搬送物の直撃に対して強い剛性及び耐摩耗性を持つと共に、屈曲部をセラミックスチップなどの耐摩耗性材を有する第一の摺動支持板によって支持することで、屈曲部との摺動による局部摩耗に対する耐久性を向上できる。
【先行技術文献】
【特許文献】
【０００４】
【特許文献１】特開平８−２５８９４２号公報
【発明の概要】
【発明が解決しようとする課題】
【０００５】
しかしながら、特許文献１に開示される発明では、特許文献１中の図２に示されるように案内シュート２の下端がその内側に折込まれているので、案内シュート２内を搬送物４が通過する際に、案内シュート２の下端に鉄鉱石や石炭等の粉状物あるいは塊状ばら物等からなる搬送物４が接触して、この部分が激しく摩耗することが予想される。
そして、案内シュート２の下端に摩耗が生じた場合は、摩耗が生じた部位を溶断するなどして切除してから、新たな部材を溶接して取付ける等のメンテナンス作業を行う必要があり、案内シュート２の維持管理のための労力とコストがかかるという課題があった。
【０００６】
また、特許文献１の場合のように、案内シュートの下端を案内シュートの内側に折り曲げることなく鉛直下方に単に垂下させた場合でも、案内シュート（乗継シュート）の内側面に搬送物が接触するのは避けられないので、やはり案内シュートの下端の内側には摩耗が起こる。したがって、この場合も、案内シュートの下端部を溶断し、新たな部材を溶接する修理を行う必要があった。
【０００７】
本発明はかかる従来の事情に対処してなされたものでありその目的は、案内シュートの下端部の内側面の摩耗を軽減することができ、かつ、案内シュートの下端部へのシュートゴム板の着脱作業を容易に行うことができる搬送物供給構造を提供することにある。
加えて、案内シュートの下端部に摩耗が生じた際には、その補修作業を容易に行うことができる搬送物供給構造を提供することにある。
【課題を解決するための手段】
【０００８】
上記課題を解決するため第１の発明である搬送物供給構造は、粉体又は粒状物又はこれらの組み合わせからなる搬送物を搬送する搬送供給設備と、この搬送供給設備の鉛直下方側に配されるとともに搬送供給設備から供給される搬送物を受け止めて搬送するコンベアと、搬送供給設備とコンベアとをつなぐように配される案内シュートとを有し、コンベアの両側縁は、コンベアの中央側に向かって屈曲又は湾曲し、案内シュートの下端部においてコンベアの両側縁側に配される面は、その垂直方向断面がハ字状をなす屈曲部を備え、この屈曲部とコンベアの載置面との空隙は、この空隙を塞ぐように配されるシュートゴム板を備えていることを特徴とするものである。
上記構成の第１の発明において、搬送供給設備は案内シュートまで搬送物を搬送するという作用を有する。また、コンベアは、搬送供給設備により搬送及び／又は供給された搬送物を受け止めて搬送するという作用を有する。さらに、案内シュートは、搬送供給設備により搬送及び／又は供給された搬送物をコンベアの載置面上に供給するという作用を有する。
そして、コンベアの両側縁がコンベアの中央側に向かって屈曲又は湾曲していることで、コンベアの載置面に搬送物が供給された際に、あるいは、搬送物の搬送時にコンベアの両側縁側に搬送物がこぼれ落ちるのを妨げるという作用を有する。
また、案内シュートの下端部においてコンベアの両側縁側に配される面が、その垂直方向断面がハ字状をなす屈曲部を備えていることで、案内シュート内を移動する搬送物が、案内シュートの下端部において案内シュートの内側面に接触し難くするという作用を有する。加えて、コンベアの載置面に到達した搬送物が、案内シュートの下端部内側面に接触するのを妨げるという作用を有する。
さらに、シュートゴム板は、案内シュートの下端部とコンベアの載置面との空隙を塞いで、この部分から搬送物がこぼれ落ちるのを妨げるという作用を有する。
【０００９】
第２の発明である搬送物供給構造は、上述の第１の発明において、シュートゴム板の下端は、コンベアの載置面と接触していることを特徴とするものである。
上記構成の第２の発明は、第１の発明と同じ作用に加えて、シュートゴム板の下端がコンベアの載置面と接触していることで、案内シュートとコンベアの載置面の隙間から、搬送物の粉塵が周囲に飛散するのを妨げるという作用を有する。
【００１０】
第３の発明である搬送物供給構造は、上述の第１又は第２の発明において、シュートゴム板は、屈曲部上に載置されていることを特徴とするものである。
上記構成の第３の発明は、第１又は第２の発明と同じ作用に加えて、シュートゴム板は案内シュートの屈曲部上に載置されていることで、案内シュートの屈曲部によりシュートゴム板の荷重を常時支持するという作用を有する。この場合、シュートゴム板の交換作業を行う際に、作業者はシュートゴム板を手で支えておく必要がないので、作業負荷が大幅に軽減される。
【００１１】
第４の発明である搬送物供給構造は、上述の第３の発明において、シュートゴム板を屈曲部の上面に押し当てて固定するための固定構造を有し、この固定構造は、屈曲部の上面上に突設される複数の突起部と、シュートゴム板の伸長方向と平行に配され長尺状の押圧部と、この押圧部をシュートゴム板上に配した際に突起部が配される位置と符合する位置に固設される複数の掛止部と、突起部に掛止部を掛止した際に、掛止部の外れを防止するとともに、シュートゴム板に対する押圧部の押圧力を調整するくさびと、を備えることを特徴とするものである。
上記構成の第４の発明は、第３の発明と同じ作用に加えて、固定構造は、案内シュートの屈曲部上にシュートゴム板を着脱可能に固定するという作用を有する。
より具体的には、上記固定構造において、押圧部はシュートゴム板の上面に配されて、シュートゴム板を案内シュートの屈曲部の上面に押圧するという作用を有する。また、掛止部は上記押圧部の複数個所に一体に固設されて、押圧部のハンドリングを可能にするとともに、押圧部によりシュートゴム板を押圧する際の押圧力を伝達するという作用を有する。
さらに、案内シュートの屈曲部上に突設される突起部は、上記掛止部を掛止させるという作用を有する。
そして、くさびは、上記掛止部が掛止された後に、突起部に形成されるくさび挿通孔に差し込まれることで、掛止部の外れを妨げながら、掛止部を案内シュートの屈曲部の上面側に押圧するという作用を有する。これにより、掛止部に作用する押圧力が押圧部に伝達され、押圧部によりシュートゴム板が屈曲部の上面側に常時押し付けられることになる。
【００１２】
第５の発明である搬送物供給構造は、上述の第１乃至第４の発明のいずれかにおいて、屈曲部は案内シュートの下端部に着脱可能に固設されていることを特徴とするものである。
上記構成の第５の発明は、第１乃至第４のそれぞれの発明による作用と同じ作用に加えて、屈曲部は案内シュートの下端部に着脱可能に固設されていることで、屈曲部の内側（案内シュートの内側）に摩耗が起きた際に、案内シュートの屈曲部を溶断することなく取り外すことを可能にするという作用を有する。さらに、摩耗が起きた屈曲部を取り外した後に、溶接を行うことなく新たな屈曲部をシュートの下端部に取付け可能にするという作用を有する。
【発明の効果】
【００１３】
上述のような第１の発明によれば、案内シュートの下端部の内側面が搬送物と接触して削り取られるリスクを大幅に軽減することができる。この結果、案内シュート下端部の内側において摩耗を起こり難くすることができる。
これにより、案内シュートの耐用年数を長くできる。また、第１の発明によれば、案内シュートの補修作業を頻繁に行う必要がなくなるので、案内シュートのメンテナンスに必要な労力及びコストを大幅に削減することができる。
【００１４】
第２の発明によれば、第１の発明による効果と同じ効果に加えて、案内シュートの下端部とコンベアの載置面との間に隙間が生じないので、案内シュートとコンベアの接続部分において、周囲に粉塵が飛散するリスクを大幅に低減することができる。よって、第２の発明によれば、クリーンな搬送物供給構造を提供することができる。
【００１５】
第３の発明によれば、第１又は第２の発明と同じ効果に加えて、シュートゴム板の取り換え作業時に、作業者がシュートゴム板を支えておく必要がないので、作業者の身体的負荷を大幅に軽減することができる。従って、第３の発明によれば、案内シュートのメンテナンス作業の負荷を軽減することができる。
【００１６】
第４の発明によれば、第３の発明による効果と同じ効果に加えて、シンプルな構造でありながら、案内シュートの屈曲部上にシュートゴム板を着脱可能に固定することができるという効果を有する。従って、第４の発明によれば、案内シュートのメンテナンス作業の負荷を一層軽減することができる。
【００１７】
第５の発明によれば、第１乃至第４のそれぞれの発明と同じ効果に加えて、案内シュートの屈曲部の内側に摩耗が生じて補修作業が必要になった場合に、この屈曲部の除去作業と、新たな屈曲部の取付け作業を、溶断・溶接作業によらず行うことができる。従って、第５の発明によれば、案内シュートのメンテナンスに係る労力及びコストを大幅に軽減することができる。
さらに、案内シュートの屈曲部を容易に交換可能にすることで、案内シュートの本体部分の耐用年数を長くすることができる。この結果、案内シュートのメンテナンスに係る作業及びコストを削減できる。
【図面の簡単な説明】
【００１８】
【図１】本発明の実施例１に係る搬送物供給構造の概念図である。
【図２】本発明の実施例１に係る搬送物供給構造の部分拡大図である。
【図３】本発明の実施例１に係る搬送物供給構造においてシュートゴム板の固定構造を分解した状態で示した概念図である。
【図４】本発明の実施例１に係る搬送物供給構造におけるシュートゴム板の固定構造の概念図である。
【図５】本発明の実施例１の変形例に係る搬送物供給構造の部分拡大図である。
【図６】本発明の実施例２に係る搬送物供給構造の部分拡大図である。
【発明を実施するための形態】
【００１９】
本発明の実施の形態に係る搬送物供給構造について実施例１乃至実施例３を参照しながら詳細に説明する。
【実施例１】
【００２０】
本発明の実施例１に係る搬送物供給構造１Ａについて図１乃至図４を参照しながら詳細に説明する。
図１は本発明の実施例１に係る搬送物供給構造の概念図である。また、図２は本発明の実施例１に係る搬送物供給構造の部分拡大図である。
図１，２に示すように、実施例１に係る搬送物供給構造１Ａは、粉体又は粒状物又はこれらの組み合わせからなる搬送物１４を搬送する、例えば、第１のコンベア２等からなる搬送供給設備と、この搬送供給設備の鉛直下方側に配されるとともに搬送供給設備から供給される搬送物１４を受け止めて搬送する第２のコンベア３と、搬送供給設備と第２のコンベア３とをつなぐように配される案内シュート４とを有し、第２のコンベア３の両側縁３ａ，３ａは、第２のコンベア３の中央側に向かって屈曲又は湾曲し、案内シュート４の下端部４ａにおいて第２のコンベア３の両側縁３ａ，３ａ側に配される面は、その垂直方向断面がハ字状をなす屈曲部４ｂを備え、この屈曲部４ｂと第２のコンベア３の載置面３ｂとの空隙は、この空隙を塞ぐように配されるシュートゴム板５を備えていることを特徴とするものである。
【００２１】
なお、実施例１の搬送物供給構造１Ａでは、搬送供給設備が第１のコンベア２である場合を例に挙げて説明しているが、搬送供給設備はコンベア以外の、例えば、ホッパー等でもよい。つまり、案内シュート４に搬送物１４を搬送及び／又は供給することができる設備であれば、搬送供給設備の形態は特定されなくてよい。
また、搬送供給設備が、例えば第１のコンベア２である場合は、図１に示すように、その始端部や終端部、あるいは、搬送路に配されるローラ２ａの回転により、載置面を構成するバンド体が周回して、粉体又は粒状物又はこれらの組み合わせからなる搬送物１４を搬送できるよう構成してもよい。
さらに、第２のコンベア３も、基本的には第１のコンベア２と同様の構成により動作するものであるが、載置面３ｂを有するバンド体の進行方向垂直断面形状が凹状をなすように屈曲又は湾曲されている。また、第２のコンベア３ではバンド体の裏面にバンド体の断面形状を維持するようにローラ３ｃが配されている。
【００２２】
上述のような実施例１に係る搬送物供給構造１Ａでは、案内シュート４の下端部４ａにおいて、第２のコンベア３の両側縁３ａ，３ａ側に配される面に、その垂直方向断面がハ字状をなす屈曲部４ｂが設けられることで、搬送物１４が案内シュート４内を降下する際に、案内シュート４の下端部４ａの内側面に搬送物１４を接触し難くすることができる。これにより、案内シュート４の使用時にその下端部４ａの内側面を摩耗し難くすることができる。
従って、実施例１に係る搬送物供給構造１Ａによれば、案内シュート４の耐用年数を長くすることができる。
【００２３】
一般に、火力発電所等の発電設備においては、石炭等の搬送物１４を、例えば、図１に示すような第１のコンベア２や第２のコンベア３を用いて搬送している。
そして、搬送物１４が特に粒状物である、又は、粒状物を含む場合は、案内シュート４の内部を移動する際に、案内シュート４の内側面に接触しながら落下するため、特に案内シュート４の下端部４ａの内側面に摩耗が起こり易かった。
そして、案内シュート４の内側面に摩耗が起きた場合は、摩耗した部位を溶断して切除してから、切除された部位を補う部材を溶接により取付ける必要があった。この場合、第２のコンベア３が頭上に配設される場合は、不安定な足場の上で案内シュート４の溶断・溶接作業を行わねばならず、作業者にとって大きな負担となっていた。
よって、上述のような実施例１に係る発明によれば、案内シュート４の下端部４ａの摩耗を好適に抑制することができるので、案内シュート４の補修作業に要する労力及びコストを大幅に削減することができる。
【００２４】
さらに、実施例１に係る搬送物供給構造１Ａでは、図１，２に示すように、シュートゴム板５の下端５ａを第２のコンベア３の載置面３ｂに接触させておいてもよい。
この場合、搬送物１４が案内シュート４内を通過する際に発生する粉塵が、シュートゴム板５と第２のコンベア３の載置面３ｂの間から外部に拡散するのを防止することができる。従って、実施例１に係る搬送物供給構造１Ａによれば、クリーンな搬送物供給構造を提供することができる。
【００２５】
また、実施例１に係る搬送物供給構造１Ａでは、図１，２に示すように、シュートゴム板５を案内シュート４の屈曲部４ｂの上面に載置するように配してもよい。
通常、シュートゴム板５として、細長平板状の長尺材が用いられている。そして、このシュートゴム板５は重量物である。また、案内シュート４が屈曲部４ｂを備えない場合は、シュートゴム板５の交換時に作業者がその交換作業が終わるまで手でシュートゴム板５を支えている必要があり、特に第２のコンベア３が頭上に配設されている場合は不安定な足場の上でこの作業を行うので、作業者の身体的な負担が極めて大きかった。
従って、実施例１に係る搬送物供給構造１Ａによれば、シュートゴム板５の交換作業を行う際に、案内シュート４の屈曲部４ｂの上面上にシュートゴム板５を載置しておくことができるので、作業時の作業者の肉体的な負担を大幅に軽減することができる。
【００２６】
さらに、実施例１に係る搬送物供給構造１Ａでは、以下に示すような固定構造６により、案内シュート４の屈曲部４ｂの上面に着脱可能にシュートゴム板５を固定しておいてもよい。この点について図２乃至図４を参照しながら詳細に説明する。
図３は本発明の実施例１に係る搬送物供給構造においてシュートゴム板の固定構造を分解した状態で示した概念図である。また、図４は本発明の実施例１に係る搬送物供給構造におけるシュートゴム板の固定構造の概念図である。なお、図１,２に記載されたものと同一部分については同一符号を付し、その構成についての説明は省略する。
図２,３に示すように、実施例１に係る搬送物供給構造１Ａの固定構造６は、案内シュート４の屈曲部４ｂの上面上に突設される複数の突起部７と、上述のシュートゴム板５の伸長方向と平行に配される長尺状の押圧部８と、この押圧部８をシュートゴム板５上に配した際に突起部７が配される位置と符合する位置に固設される複数の掛止部９と、突起部７に掛止部９を掛止した際に、掛止部９の外れを防止するとともに、シュートゴム板５に対する押圧部８の押圧力を調整するくさび１０とにより構成されてもよい。
【００２７】
また、図２,３に示すように、固定構造６における押圧部８は、断面Ｌ字状の長尺鋼材を使用しているが、シュートゴム板５をその長手方向に均等に押圧することができれば、図２,３に示す形態のものに特定される必要はない。
さらに、掛止部９は、矩形状の金属板（鋼板）を断面Ｌ字状に折り曲げたものである。また、この掛止部９は、押圧部８上において、案内シュート４における屈曲部４ｂの上面上にシュートゴム板５を載置し、その上に押圧部８を配した際に、突起部７が配される位置と符合する位置に固設されている。加えて、掛止部９において押圧部８が固設される面には、突起部７を挿通させるための突起部挿通孔９ａが形成されており、この突起部挿通孔９ａに突起部７を挿通させることで、案内シュート４の屈曲部４ｂ上における押圧部８の位置が間接的に特定される。
そして、掛止部９が金属製の平板材をＬ字状に屈曲させてなり、その端部に鉤状部（屈曲部４ｂの上面に当接する部位）を備えていることで、掛止部９の突起部挿通孔９ａに突起部７を挿通させた際に、この鉤状部の端面が屈曲部４ｂの上面に当接することで、掛止部９に固設される押圧部８の浮き上がりを防止することができる。
【００２８】
また、実施例１に係る搬送物供給構造１Ａの固定構造６における突起部７は、その頂部近傍にくさび１０を挿通させるためのくさび挿通孔７ａを備えている。
そして、この固定構造６では、掛止部９の突起部挿通孔９ａに突起部７を挿通させた場合に、掛止部９の肉厚部により突起部７に形成されるくさび挿通孔７ａの一部が隠れるように構成し（図２を参照）、かつ、掛止部９の屈曲内側面からの押圧部８の高さＨ（図２を参照）を、案内シュート４における屈曲部４ｂの上面における掛止部９の立ち上がり高さＰ（図２を参照）よりも小さく設定しておくことで、突起部７のくさび挿通孔７ａにくさび１０を挿設した際に、くさび１０の側方端面により掛止部９を屈曲部４ｂの上面側に押し付けるように力を作用させることができる。
この時、掛止部９には押圧部８が固設されているので、この動作に伴ってシュートゴム板５上に載置されている押圧部８がシュートゴム板５の厚み方向に押し込まれて、シュートゴム板５が屈曲部４ｂ上に固定される。
なお、固定構造６により案内シュート４の屈曲部４ｂの上面上にシュートゴム板５を固定した状態を示したものが図４である。
【００２９】
また、案内シュート４の屈曲部４ｂからシュートゴム板５を取り外す場合は、上記手順の逆を行えばよい。
すなわち、突起部７のくさび挿通孔７ａからくさび１０を抜き取り、突起部７にから掛止部９を取り外すことで、シュートゴム板５上の押圧部８を取り外すことができる。そして、この結果、案内シュート４の屈曲部４ｂ上からシュートゴム板５を取り外すことができる。
【００３０】
そして、図２乃至図４に示すような固定構造６を備える場合は、シンプルで少ない数のパーツによりシュートゴム板５を案内シュート４の屈曲部４ｂ上にしっかりと固定することができる。このため、固定構造６を構成する個々のパーツが破損し難く、しかも、固定構造６を構成する個々のパーツが万一破損した場合でも、パーツの構造がシンプルなのでその交換が容易である。よって、固定構造６を備える実施例１に係る搬送物供給構造１Ａによれば、メンテナンスが容易な搬送物供給構造を提供することができる。
さらに、図２乃至図４に示すような固定構造６を備える場合は、案内シュート４の屈曲部４ｂ上にシュートゴム板５を着脱可能に固定することができる。しかも、図２乃至図４に示すような固定構造６を備える場合は、案内シュート４の屈曲部４ｂの上面上にシュートゴム板５を載置したままその固定又は取外し作業を行うことができる。従って、図２乃至図４に示すような固定構造６を備える実施例１に係る搬送物供給構造１Ａによれば、シュートゴム板５の交換作業時に、作業者の身体的な負担を大幅に軽減することができる。よって、実施例１に係る搬送物供給構造１Ａによれば、メンテナンス作業が容易な搬送物供給構造を提供することができる。
【００３１】
次に、図５を参照しながら実施例１の変形例に係る搬送物供給構造について詳細に説明する。
図５は本発明の実施例１の変形例に係る搬送物供給構造の部分拡大図である。なお、図１乃至図４に記載されたものと同一部分については同一符号を付し、その構成についての説明は省略する。
先の図２乃至図４では、固定構造６を構成する掛止部９の屈曲内側面に、断面Ｌ字状の長尺材の開放端部を固設する場合を例に挙げて説明しているが、図５に示すように、掛止部９の屈曲内側面に、断面Ｌ字状の長尺材の角部を固設してなる固定構造６ａを用いてもよい。
そして、固定構造６ａを備える変形例に係る搬送物供給構造１Ｂによれば、固定構造６を備える実施例１に係る搬送物供給構造１Ａと同様の効果を発揮させることができる。
【実施例２】
【００３２】
最後に、実施例２に係る搬送物供給構造について図６を参照しながら詳細に説明する。
図６は本発明の実施例２に係る搬送物供給構造の部分拡大図である。なお、図１乃至図５に記載されたものと同一部分については同一符号を付し、その構成についての説明は省略する。
図１乃至図５では、案内シュート４における屈曲部４ｂが、案内シュート４と一体に設けられる場合を例に挙げて説明しているが、図６に示すように、屈曲部４ｂを案内シュート４とは別体に構成し、案内シュート４の下端部４ａに屈曲部４ｂを着脱可能に設けてもよい。
本発明では案内シュート４の下端部４ａに屈曲部４ｂを備えることで、この部分における搬送物１４との摩擦を軽減できるものの、案内シュート４の屈曲部４ｂの内側面の摩耗は不可避である。従って、本発明に係る搬送物供給構造１Ａ，１Ｂを用いる場合でも、案内シュート４の下端部４ａの内側面に摩耗が生じた場合は、溶断・溶接による補修作業を行う必要がある。
これに対して、実施例２に係る搬送物供給構造１Ｃのように、案内シュート４の下端部４ａに、別体として設けられる屈曲部４ｂを着脱可能に固設しておくことで、案内シュート４の屈曲部４ｂの内側面に摩耗が生じた際に、別体として設けられる屈曲部４ｂを交換するだけでその補修作業を完了することができる。しかも、この場合、本発明に係る搬送物供給構造１Ａ，１Ｂの場合のように、摩耗が起きた屈曲部４ｂを溶断し、その後に、新たな屈曲部４ｂとなるパーツを溶接する作業を行う必要がない。
従って、実施例２に係る搬送物供給構造１Ｃによれば、案内シュート４の屈曲部４ｂの内側面に摩耗が生じた際に、その補修作業に係る労力及びコストを大幅に節減することができる。
【００３３】
なお、実施例２に係る搬送物供給構造１Ｃにおいて、別体からなる屈曲部４ｂの取付け構造として、以下に示すような構造を採用してもよい。
例えば、図６に示すように、別体に設けられる屈曲部４ｂにおいて、案内シュート４側に配される端部に接続部１５を一体に延設しておき、さらに、案内シュート４の外側面、及び、屈曲部４ｂの外側面、のそれぞれに連結アーム部１１，１２を突設し、案内シュート４の外側において連結アーム部１１，１２を、例えば、ボルト１３等の固定具により着脱可能に連結してもよい。
この場合、別体に設けられる屈曲部４ｂの固定構造が、案内シュート４の外側に配されるので、別体に設けられる屈曲部４ｂの着脱作業時に案内シュート４の内側において作業を行う必要がない。
よって、図６に示すような屈曲部４ｂの取付け構造を有する搬送物供給構造１Ｃによれば、案内シュート４の屈曲部４ｂの交換作業を効率的に、しかも、安全かつ容易に行うことができる。
【００３４】
また、図６に示すような屈曲部４ｂの取付け構造は、図５に示す変形例に係る搬送物供給構造１Ｂに採用することもできる。この場合、変形例に係る搬送物供給構造１Ｂによる効果と、実施例３に係る搬送物供給構造１Ｃによる効果を同時に発揮させることができる。
さらに、本実施の形態においては、固定構造６又は固定構造６ａにおける押圧部８として、断面Ｌ字状の長尺材（例えば、金属製）を用いる場合を例に挙げて説明しているが、押圧部８の形状は、図１乃至図６に開示される形態に特定される必要はない。つまり、押圧部８として中空管体（断面形状は任意）や中実な棒状体（断面形状は任意）を支障なく使用することができる。
【産業上の利用可能性】
【００３５】
以上説明したように本発明は、案内シュートの下端部の内側面が摩耗し難い搬送物供給構造、並びに、案内シュートの下端部の内側面に摩耗が生じた場合でもその部位の補修作業が容易かつ安価に行うことができる搬送物供給構造であり、搬送供給設備に関する技術分野において利用可能である。
【符号の説明】
【００３６】
１Ａ〜１Ｃ…搬送物供給構造  ２…第１のコンベア  ２ａ…ローラ  ３…第２のコンベア  ３ａ…側縁  ３ｂ…載置面  ３ｃ…ローラ  ４…案内シュート  ４ａ…下端部  ４ｂ…屈曲部  ５…シュートゴム板  ５ａ…下端  ６，６ａ…固定構造  ７…突起部  ７ａ…くさび挿通孔  ８…押圧部  ９…掛止部  ９ａ…突起部挿通孔  １０…くさび  １１…連結アーム部  １２…連結アーム部  １３…ボルト  １４…搬送物  １５…接続部
【図１】
0006502277.tif 000002
【図２】
0006502277.tif 000003
【図３】
0006502277.tif 000004
【図４】
0006502277.tif 000005
【図５】
0006502277.tif 000006
【図６】
0006502277.tif 000007